(57)【要約】【課題】プロジェクタに用いられる光源装置において、映像投影中であっても、色味を変えることなく、光ファイバーの損傷を検知できる光源装置を提供する。【解決手段】  光源装置は、複数の光源、光ファイバー群、複数の光源に対する駆動を行う駆動部、光ファイバー群からの出射光の一部を受光してその光量を検知するセンサ、及びセンサで検知された光量に応じた信号を取得する判定部を備える。駆動部は、複数の光源に対して駆動電流を供給すると共に、複数の光源のうち検査対象色の光を出射する光源に対して駆動電流に所定のタイミングで第１パルス電流及び逆極性の第２パルス電流を重畳させる。判定部は、駆動電流の電流量の下でセンサにて検知された検査対象色の光の光量と、第１パルス電流又は第２パルス電流が重畳された電流量の下で検知された検査対象色の光の光量の差に基づいて、検査対象色の光を伝搬する光ファイバーの異常の有無を判定する。【選択図】        図１
2014191926.tif 000002
【特許請求の範囲】
【請求項１】
異なる色の光を発光する複数の光源と、
前記複数の光源からの出射光を発光色毎にそれぞれ伝搬する光ファイバー群と、
前記複数の光源に対する駆動を行う駆動部と、
前記光ファイバー群からの出射光の一部を受光してその光量を検知するセンサと、
前記センサで検知された光量に応じた信号を取得する判定部を備え、
前記駆動部は、前記複数の光源に対して駆動電流を供給すると共に、前記複数の光源のうち検査対象色の光を出射する光源に対して前記駆動電流に所定のタイミングで第１パルス電流及び前記第１パルス電流と逆極性の第２パルス電流を重畳させ、
前記判定部は、前記駆動電流の電流量の下で前記センサにて検知された前記検査対象色の光の光量と、前記駆動電流に前記第１パルス電流又は前記第２パルス電流が重畳された電流量の下で前記センサにて検知された前記検査対象色の光の光量の差に基づいて、前記光ファイバー群のうちの前記検査対象色の光を伝搬する光ファイバーの異常の有無を判定することを特徴とする光源装置。
【請求項２】
前記光ファイバー群は、前記複数の光源からの出射光のうち、同一色の出射光を伝搬する複数の光ファイバーを有して構成され、
前記駆動部は、前記検査対象色の光を出射する光源のうち、前記検査対象色の光を伝搬する光ファイバーのうちの特定光ファイバーによって出射光が伝搬される特定光源に対して、前記駆動電流に所定のタイミングで前記第１パルス電流を重畳すると共に、前記検査対象色の光を出射する光源のうち、前記検査対象色の光を伝搬する前記特定光ファイバー以外の光ファイバーによって出射光が伝搬される前記特定光源以外の光源に対して、前記駆動電流に所定のタイミングで前記第２パルス電流を重畳する構成であることを特徴とする請求項１に記載の光源装置。
【請求項３】
前記検査対象色の光を伝搬する前記特定光ファイバー以外の光ファイバーを複数有し、
前記特定光源が前記検査対象色の光を出射する光源の中から順次切り替わり、前記特定光ファイバーが前記検査対象色の光を伝搬する光ファイバーの中から順次切り替わることを特徴とする請求項２に記載の光源装置。
【請求項４】
前記検査対象色の光を出射する光源のうち、前記特定光ファイバー以外の複数の光ファイバーによって出射光が伝搬される前記特定光源以外の複数の光源に対して重畳される前記第２パルス電流の絶対値の合計と、前記特定光源に対して重畳される前記第１パルス電流の絶対値との差が閾値以下であることを特徴とする請求項３に記載の光源装置。
【請求項５】
前記第１パルス電流が重畳されるタイミングと、前記第２パルス電流が重畳されるタイミングが同期していることを特徴とする請求項２〜４のいずれか１項に記載の光源装置。
【請求項６】
前記第１パルス電流が重畳されるタイミングと、前記第２パルス電流が重畳されるタイミングが、共に画像の同一フレーム期間内であることを特徴とする請求項１〜４のいずれか１項に記載の光源装置。
【請求項７】
前記検査対象色が、前記複数の光源からの出射光の発光色の中から順次切り替わることを特徴とする請求項１〜６のいずれか１項に記載の光源装置。
【発明の詳細な説明】
【技術分野】
【０００１】
本発明は、光源からの出射光を光ファイバーで伝送する光源装置に関する。
【背景技術】
【０００２】
従来、プロジェクタの光源に半導体レーザやＬＥＤを用い、これらの光源から放射される光を光ファイバーで伝送するプロジェクタが知られている（例えば、特許文献１参照）。
【０００３】
また、データ伝送用の光ファイバーにおいて、光ファイバーの断線を検知するために、検知用に波長の異なる光を入射して断線の有無を検知する技術が知られている（例えば、特許文献２参照）。
【先行技術文献】
【特許文献】
【０００４】
【特許文献１】特許第３９６７１４５号明細書
【特許文献２】特開平５−１２８３９７号公報
【発明の概要】
【発明が解決しようとする課題】
【０００５】
光ファイバーで光源からの光を伝送するプロジェクタにおいて、映像投影中に光ファイバーが損傷すると、投影画像の色味が変わってしまう。また、損傷の程度によっては、光が外部に漏れ出し、場合によってはこの漏れ光が人間の目に直接入ったり、周囲のものを加熱したりすることも考えられる。
【０００６】
映像投影外の時間帯であれば、例えば光ファイバーに対して所定の検査用の信号を注入することで、損傷の判断を容易に行うことができる。しかし、光ファイバーは曲げや折れによって容易に損傷する可能性がある上、ひとたび損傷すれば上記のような問題が生じることもあるため、映像投影中においても損傷が発生していないかどうかを検知したいという要請がある。
【０００７】
しかし、特許文献２に記載の方法によれば、光ファイバーの損傷を検知するために波長の異なる光を入射する構成であるため、投影画像の色味に影響が及ぶ可能性がある。また、映像に利用しない波長を放射する光源が別に必要となるので、装置が煩雑になってしまう。
【０００８】
上記の課題に鑑み、本発明は、特にプロジェクタに用いられる光源装置において、映像投影中であっても、色味を変えることなく、光を伝送する光ファイバーの損傷を検知できる光源装置を提供することを目的とする。
【課題を解決するための手段】
【０００９】
本発明の光源装置は、異なる色の光を発光する複数の光源と、前記複数の光源からの出射光を発光色毎にそれぞれ伝搬する光ファイバー群と、前記複数の光源に対する駆動を行う駆動部と、前記光ファイバー群からの出射光の一部を受光してその光量を検知するセンサと、前記センサで検知された光量に応じた信号を取得する判定部を備える。
【００１０】
ここで、前記駆動部は、前記複数の光源に対して駆動電流を供給すると共に、前記複数の光源のうち検査対象色の光を出射する光源に対して前記駆動電流に所定のタイミングで第１パルス電流及び前記第１パルス電流と逆極性の第２パルス電流を重畳させる。
【００１１】
前記判定部は、前記駆動電流の電流量の下で前記センサにて検知された前記検査対象色の光の光量と、前記駆動電流に前記第１パルス電流又は前記第２パルス電流が重畳された電流量の下で前記センサにて検知された前記検査対象色の光の光量の差に基づいて、前記光ファイバー群のうちの前記検査対象色の光を伝搬する光ファイバーの異常の有無を判定する。
【００１２】
光ファイバーに損傷が生じると、光ファイバー内の透過率が低下するなどにより、出射光量が減少する。
【００１３】
検査対象色の光を出射する光源に対して駆動電流を供給した状態での、当該光源からの出射光を伝搬する光ファイバーからの出射光の光量（以下、「駆動時光量」と呼ぶ。）と、この駆動電流に第１パルス電流が重畳された電流を同光源に供給した状態での同光ファイバーからの出射光の光量（以下、「検査時光量」と呼ぶ。）には、重畳された第１パルス電流分に相当する差が生じる。
【００１４】
この光ファイバーに損傷がある場合、損傷がない場合に比べて、駆動時光量と検査時光量は、損傷に由来した透過率の低下等に起因して、共にある割合だけ減少する。よって、損傷がある場合と損傷がない場合とで、駆動時光量と検査時光量の差分値に相違が生じる。このことは、損傷がある場合と損傷がない場合とで、駆動電流の電流量の下でセンサにて検知された検査対象色の光の光量と、駆動電流に第１パルス電流が重畳された電流量の下でセンサにて検知された検査対象色の光の光量との差分値（以下、「検知差分値」と呼ぶ。）に相違が生じることを意味する。
【００１５】
よって、判定部は、例えば、この検知差分値の大きさが所定の基準値を下回っていれば、当該光ファイバーに異常が存在していると判定し、所定の基準値以上であれば当該光ファイバーに異常は存在しないと判定することができる。
【００１６】
判定部は、ＣＰＵなどのコントローラで実装し、所定の基準値は予めメモリに記憶させておく構成とすることができる。また、このコントローラからの制御信号に基づいて、駆動部が所定の光源に対して第１パルス電流又は第２パルス電流を所定のタイミングで重畳させる構成とすることができる。
【００１７】
なお、上記検知差分値として、駆動電流の電流量の下でセンサにて検知された検査対象色の光の光量と、駆動電流に第２パルス電流が重畳された電流量の下でセンサにて検知された検査対象色の光の光量との差分値を用いることもできる。
【００１８】
上記構成では、光源を駆動するために供給される電流（駆動電流）に対して、判定用の第１パルス電流及び第２パルス電流を所定のタイミングで重畳させることで、光ファイバーの異常検出を行う。このため、判定時において光源からの発光色の波長がほとんど変化することはない。よって、異なる波長の光を利用する構成と異なり、映像投影中にこのようなパルス電流を重畳しても、投影画像の色味に影響を及ばなくすることができる。
【００１９】
また、既存の発光色の光を出射する光源に、所定のパルス電流を重畳することで光ファイバーの異常の有無を判定する構成であるため、従来構成のように、検査のための特別の光源を別途備える必要がない。
【００２０】
更に、上記構成では、検査対象色の光を出射する光源に対して、駆動電流に所定のタイミングで第１パルス電流とその逆極性の第２パルス電流を重畳させている。つまり、第１パルス電流と第２パルス電流は相互に打ち消し合う方向に重畳される。よって、同光源から出射される光量の変化が抑制され、投影画像の色味に与える影響をより小さくすることができる。
【００２１】
ここで、光ファイバー群が、異なる色の光を伝搬する光ファイバーを各色１本ずつ有する構成である場合には、駆動部は第１パルス電流と第２パルス電流を時間的にずらして重畳させる。この場合、投影画像の色味に与える影響を小さくする観点からは、両パルス電流の重畳タイミングを画像の同一フレーム期間内とするのが好ましい。
【００２２】
更に、この第１パルス電流及び第２パルス電流のパルス幅は、光ファイバーに損傷がある場合と損傷がない場合とで検知差分値に相違が生じる範囲内で、なるべく短い時間とするのが好ましい。これにより、投影画像の色味に与える影響をほぼなくすことができる。
【００２３】
また、第１パルス電流の絶対値と第２パルス電流の絶対値の差を、投影画像の色味に影響が生じない範囲内の所定の閾値以下とするのが好ましく、ほぼ等しくするのがより好ましい。
【００２４】
また、下記の構成とすることで、同一色の光を伝搬する光ファイバーを複数備える構成の場合においても、投影画像の色味に影響を及ぼすことなく光ファイバーの異常の有無を検知することが可能である。
【００２５】
すなわち、前記光ファイバー群が、前記複数の光源からの出射光のうち、同一色の出射光を伝搬する複数の光ファイバーを有して構成される場合において、
前記駆動部が、前記検査対象色の光を出射する光源のうち、前記検査対象色の光を伝搬する光ファイバーのうちの特定光ファイバーによって出射光が伝搬される特定光源に対して、前記駆動電流に所定のタイミングで前記第１パルス電流を重畳すると共に、前記検査対象色の光を出射する光源のうち、前記検査対象色の光を伝搬する前記特定光ファイバー以外の光ファイバーによって出射光が伝搬される前記特定光源以外の光源に対して、前記駆動電流に所定のタイミングで前記第２パルス電流を重畳する。
【００２６】
例えば、光ファイバー群が、異なる色の光を伝搬する光ファイバーを各色２本ずつ有する構成である場合、検査対象色の光を伝搬する光ファイバーが２本存在することになる。このうち、一方の光ファイバー（「特定光ファイバー」に対応）によって出射光が伝搬される光源（「特定光源」に対応）に対して駆動電流に所定のタイミングで第１パルス電流を重畳させ、他方の光ファイバーによって出射光が伝搬される光源に対して駆動電流に所定のタイミングで第２パルス電流を重畳させる。
【００２７】
この構成においても、上記と同様の理由により、検知差分値の大きさが所定の基準値を下回っていれば、判定部は第１パルス電流を重畳した光ファイバー（特定光ファイバー）に異常が生じていると判定することができる。また、同一色の光を出射する光源について、一方の光源には第１パルスを重畳し、他方の光源にはそれとは逆極性の第２パルスを重畳しているため、全体として投影画像の色味に影響を及ぼさないことができる。
【００２８】
この場合、投影画像の色味への影響を更に小さくする目的で、第１パルスと第２パルスの重畳タイミングを同期させても構わない。
【００２９】
また、光ファイバー群として、異なる色の光を伝搬する光ファイバーを各色３本以上ずつ有する構成である場合においても、同様の議論が可能である。この場合、検査対象色の光を伝搬する光ファイバーが３本以上存在することになる。このうち、一の光ファイバー（特定光ファイバー）によって出射光が伝搬される光源（特定光源）に対して駆動電流に所定のタイミングで第１パルス電流を重畳させ、他の光ファイバーによって出射光が伝搬される光源に対して駆動電流に所定のタイミングで第２パルス電流を重畳させる。
【００３０】
この場合においても、上記と同様の理由により、検知差分値の大きさが所定の基準値を下回っていれば、判定部は第１パルス電流を重畳した光ファイバーに異常が生じていると判定することができる。
【００３１】
なお、この構成においては、駆動電流に第２パルス電流が重畳されて発光する光源からの出射光が２本以上の光ファイバーで伝搬される。よって、これらの光ファイバーで出射光が伝搬される光源に重畳される第２パルス電流の絶対値の合計と、特定光源に対して重畳される第１パルス電流の絶対値との差を、投影画像の色味に影響が生じない範囲内の所定の閾値以下とするのが好ましく、ほぼ等しくするのがより好ましい。
【００３２】
また、前記検査対象色の光を伝搬する前記特定光ファイバー以外の光ファイバーを複数有する構成において、
前記特定光源が前記検査対象色の光を出射する光源の中から順次切り替わり、前記特定光ファイバーが前記検査対象色の光を伝搬する光ファイバーの中から順次切り替わる構成とすることができる。
【００３３】
上記構成によれば、検査対象色の光を伝搬する光ファイバーが３本以上存在する場合に、これらの光ファイバーの全てに対して異常の有無の判定が行える。
【００３４】
更に、前記検査対象色が、前記複数の光源からの出射光の発光色の中から順次切り替わる構成とすることができる。
【００３５】
上記構成によれば、光源装置が備える全ての光ファイバーに対して異常の有無の判定が行える。
【発明の効果】
【００３６】
本発明の光源装置によれば、映像投影中であっても、色味を変えることなく、光を伝送する光ファイバーの損傷を検知することができる。
【図面の簡単な説明】
【００３７】
【図１】光源装置の第１実施形態の構成を模式的に示すブロック図である。
【図２】各光源に対して供給される電流波形を模式的に示すグラフである。
【図３Ａ】光源装置の第２実施形態の構成を模式的に示すブロック図である。
【図３Ｂ】光源装置の第２実施形態の一部の構成を模式的に示すブロック図である。
【図４】各光源に対して供給される電流波形を模式的に示すグラフである。
【図５Ａ】光ファイバー１４ａ及び１４ｂの双方に異常が存在しない場合における、各光ファイバーからの出射光の時間変化及びセンサでの受光量の時間変化を示すグラフである。
【図５Ｂ】光ファイバー１４ｂに異常が存在する場合における、各光ファイバーからの出射光の時間変化及びセンサでの受光量の時間変化を示すグラフである。
【図６】各光源に対して供給される電流波形を模式的に示すグラフである。
【図７】センサでの受光量の時間変化を示すグラフである。
【図８】別実施形態の構成の下で、各光源に対して供給される電流波形を模式的に示すグラフである。
【図９】光源装置の別実施形態の構成を模式的に示すブロック図である。
【図１０】光源装置の別実施形態の構成を模式的に示すブロック図である。
【発明を実施するための形態】
【００３８】
本発明の光源装置につき、図面を参照して説明する。
【００３９】
［第１実施形態］
光源装置の第１実施形態につき説明する。
【００４０】
〈構成〉
図１は、光源装置の第１実施形態の構成を模式的に示すブロック図である。光源装置１は、異なる色の光を発光する複数の光源（１０，２０，３０）と、光源からの出射光を発光色毎にそれぞれ伝搬する光ファイバー群（１４，２４，３４）を備える。
【００４１】
図１に示す構成では、光源１０が青色（Ｂ）の光を出射し、光源２０が緑色（Ｇ）の光を出射し、光源３０が赤色（Ｒ）の光を出射する。光ファイバー１４は、光源１０からの出射光、すなわち青色光を伝搬し、光ファイバー２４は、光源２０からの出射光、すなわち緑色光を伝搬し、光ファイバー３４は、光源３０からの出射光、すなわち赤色光を伝搬する。
【００４２】
光源装置１は、制御ユニット４を備える。制御ユニット４は、判定部５、メモリ６、制御部７を備える。判定部５及びメモリ６の説明は後述される。なお、判定部５及び制御部７をＣＰＵで実装しても構わない。
【００４３】
光源装置１は、各光源（１０，２０，３０）に対する駆動を行う駆動部（１９，２９，３９）を備える。これらの駆動部（１９，２９，３９）は、制御部７からの制御信号に基づいて制御される。
【００４４】
駆動部１９は、制御部７からの制御信号に基づき、光源１０に対して所定量の電流を供給し、光源１０を所定の発光量に発光させる。駆動部２９は、制御部７からの制御信号に基づき、光源２０に対して所定量の電流を供給し、光源２０を所定の発光量に発光させる。駆動部３９は、制御部７からの制御信号に基づき、光源３０に対して所定量の電流を供給し、光源３０を所定の発光量に発光させる。
【００４５】
各光源（１０，２０，３０）からの出射光は、光ファイバー群（１４，２４，３４）によってプロジェクタ３に伝搬される。光ファイバー３４によって伝搬された赤色光はダイクロイックミラー４３によって進行方向が変化し、光ファイバー２４によって伝搬された緑色光と合成される。この合成光はダイクロイックミラー４２によって進行方向が変化し、光ファイバー１４によって伝搬された青色光と更に合成されて白色光が生成され、後段の光学系５１に導かれる。
【００４６】
光源装置１はセンサ９を備える。このセンサ９は、光ファイバー群（１４，２４，３４）によって伝搬された各色の光が合成されて得られた白色光の一部を受光し、その光量を検知する。センサ９は、検知した光量に応じた信号を判定部５に送る。
【００４７】
メモリ６には、予め所定の基準値が記憶されている。判定部５は、センサ９から送られた光量に基づいて後述する演算を行うと共に、その演算結果とメモリ６に記憶された基準値の比較を行う。そして、判定部５は、この比較結果に基づいて、光ファイバー群（１４，２４，３４）のいずれかの光ファイバーに異常が生じているか否かの判定を行う。
【００４８】
なお、図１に示す光源装置１は、制御ユニット４、駆動部（１９，２９，３９）、及び光源（１０，２０，３０）を含む光源ユニット２を有し、この光源ユニット２からの出射光を、光ファイバー群（１４，２４，３４）によってプロジェクタ３に伝搬する構成としている。つまり、光源ユニット２とプロジェクタ３が別の場所に設置され、光ファイバー群（１４，２４，３４）を介して連結されている構成を想定している。
【００４９】
〈判定方法〉
以下、判定部５が光ファイバーの異常の有無の判定を行う方法につき説明する。
【００５０】
図２は、各光源（１０，２０，３０）に対して駆動部（１９，２９，３９）から供給される電流の波形を模式的に示すグラフである。図２において、横軸が時間、縦軸が電流値である。図２（ａ）は、青色光を出射する光源１０に対して供給される電流波形を、図２（ｂ）は、緑色光を出射する光源２０に対して供給される電流波形を、図２（ｃ）は、赤色光を出射する光源３０に対して供給される電流波形をそれぞれ示している。
【００５１】
光源装置１は、異常の有無を判定する（検査する）対象となる光ファイバーによって出射光が伝搬される光源に対して供給される電流に、所定のパルス電流を重畳させることで、当該光ファイバーの異常の有無を判定する。ここでは、一例として、青色光を伝搬する光ファイバー１４が、異常の有無を判定する対象となる光ファイバーであるものとして説明する。この場合、青色（Ｂ）が「検査対象色」に対応する。
【００５２】
駆動時において、青色光を出射する光源１０は駆動部１９から定常的な駆動電流５７が供給される。同様に、緑色光を出射する光源２０は駆動部２９から定常的な駆動電流５８が供給され、赤色光を出射する光源２０は駆動部３９から定常的な駆動電流５９が供給される。
【００５３】
制御部７は、駆動部１９に対して、所定のタイミングで駆動電流５７に第１パルス電流６０及び第１パルス電流６０とは逆極性の第２パルス電流７０を重畳する制御を行う。図２（ａ）には、時刻ｔ１からｔ２にかけて第１パルス電流６０が重畳され、時刻ｔ３からｔ４にかけて第２パルス電流７０が重畳されている波形が示されている。ここでは、第１パルス電流６０を正極性、第２パルス電流７０を負極性として説明する。
【００５４】
光源（１０，２０，３０）に対して供給される電流量が増加すると、当該光源からの出射光量は増加する。このため、図２（ａ）において、光源１０に対して駆動電流５７を供給した状態での光ファイバー１４からの出射光の光量（「駆動時光量」に対応）と、この駆動電流５７に第１パルス電流６０が重畳された電流を光源１０に供給した状態での光ファイバー１４からの出射光の光量（「検査時光量」に対応）とには、重畳された第１パルス電流６０相当分の差が生じる。
【００５５】
上述したように、光源１０から出射され光ファイバー１４を介して伝搬された青色光は、光源３０から出射されて光ファイバー３４を介して伝搬された赤色光、及び光源２０から出射されて光ファイバー２４を介して伝搬された緑色光と合成され、白色光が生成される。そして、この白色光の一部がセンサ９によって受光され、受光量に応じた信号が判定部５に送られる。
【００５６】
ここで、図２に示すように、駆動部１９から光源１０に対して供給される電流に第１パルス電流６０を重畳する期間、他の光源２０，３０に対して供給される電流は変化させない（電流５８，５９）。この結果、第１パルス電流６０相当分の光源１０からの出射光量の変化量が、センサ９で検知された受光量の変化として現れる。
【００５７】
センサ９は、検知された光量に応じた信号を判定部５に送る。メモリ６には、光ファイバー１４が損傷していない状態下で、光源１０に対して駆動電流５７を供給している場合と、これに第１パルス電流６０を重畳した場合とでセンサ９にて検知される光量の差分値（理想的な差分値）に許容誤差分を加減した値が基準値として記憶されている。
【００５８】
判定部５は、センサ９から送られてきた信号に基づき、光源１０に対して駆動電流５７を供給している場合における受光量と、これに第１パルス電流６０を重畳した場合における受光量の差分値（「検知差分値」に対応）を算出する。そして、判定部５は、メモリ６より基準値を読み出し、実際に得られた検知差分値と比較を行い、検知差分値が基準値を下回っていれば、光ファイバー１４に異常が存在すると判定し、そうでなければ光ファイバー１４に異常が存在しないと判定する。
【００５９】
上述したように、光ファイバー１４に損傷がある場合、光ファイバー１４内を光が伝搬する間に、光の損失が生じるため、損傷がない場合に比べて、光源１０に対して駆動電流５７を供給した状態での光ファイバー１４からの出射光の光量（「駆動時光量」に対応）はある割合で減少する。同様に、光ファイバー１４に損傷がある場合、損傷がない場合に比べて、駆動電流５７に第１パルス電流６０が重畳された電流を光源１０に供給した状態での光ファイバー１４からの出射光の光量（「検査時光量」に対応）もある割合で減少する。
【００６０】
よって、光ファイバー１４に損傷がある場合、損傷がない場合に比べて、駆動時光量と検査時光量の差分値も、ある割合で減少することになる。
【００６１】
従って、上記構成のように、判定部５が、実際に得られた駆動時光量と検査時光量の差分値（検知差分値）とメモリ６に予め記憶された基準値を比較することで、光ファイバー１４に異常が生じているか否かを判定できる。
【００６２】
上記構成では、判定用に重畳させる第１パルス電流６０及び第２パルス電流７０は、いずれも光源１０を駆動するために供給される駆動電流５７に重畳されるものである。このため、これらのパルス電流６０及び７０が重畳されても、光源１０からの発光色の波長がほとんど変化することはない。よって、異なる波長の光を利用する構成と異なり、映像投影中にこのようなパルス電流を重畳しても、投影画像の色味に影響を及ばなくすることができる。
【００６３】
また、図２（ａ）に示すように、駆動部１９は、時刻ｔ１からｔ２にかけて第１パルス電流６０を重畳し、時刻ｔ３からｔ４にかけて第２パルス電流７０を重畳している。厳密には、時刻ｔ１からｔ２の間の微小期間には、光学系５１に出射される白色光Ｗは青色成分が、通常動作時（例えば時刻ｔ０）から高くなり、時刻ｔ３からｔ４の間の微小期間には、光学系５１に出射される白色光Ｗは青色成分が通常動作時から低くなる。
【００６４】
しかし、時刻ｔ３からｔ４にかけて重畳される第２パルス電流７０は、時刻ｔ１からｔ２にかけて重畳される第１パルス電流６０を打ち消す方向に極性を有した波形である。このため、第１パルス電流６０を重畳する前の時刻ｔ０から、第２パルス電流７０の重畳を完了後の時点ｔ５までの時間で見れば、両パルス電流を重畳したことに起因する光源１０からの出射光量の変化を小さくすることができる。特に、第１パルス電流６０の絶対値と第２パルス電流７０の絶対値の差を、投影画像の色味に影響が生じない範囲内の所定の閾値以下とするのが好ましく、ほぼ等しくするのがより好ましい。
【００６５】
よって、第１パルス電流６０及び第２パルス電流７０の重畳時間を、例えば十数μｓ〜数百μｓ程度とすることで、光学系５１を介して伝搬された光を用いてスクリーン等に投影される投影画像の色味に与える影響をほとんどなくすことができる。
【００６６】
また、画像のフレームが切り替わるタイミングが、第１パルス電流６０及び第２パルス電流７０の重畳タイミングと重なると、投影画像の色味に変化を与える可能性がある。そこで、第１パルス電流６０及び第２パルス電流７０の重畳のタイミングを画像の同一フレーム期間内とするのが好ましい。
【００６７】
光源（１０，２０，３０）の中で、第１パルス電流６０及び第２パルス電流７０を重畳する対象となる光源を順次切り替えることで、光ファイバー２４、光ファイバー３４に対しても同様に異常の有無の判定を行うことができる。
【００６８】
具体的には、制御部７が、駆動部２９に対して、所定のタイミングで駆動電流５８に第１パルス電流６０及び第１パルス電流６０とは逆極性の第２パルス電流７０を重畳する制御を行うことで、光ファイバー２４に対する異常判定を行うことができる。同様に、制御部７が、駆動部３９に対して、所定のタイミングで駆動電流５９に第１パルス電流６０及び第１パルス電流６０とは逆極性の第２パルス電流７０を重畳する制御を行うことで、光ファイバー３４に対する異常有無の判定を行うことができる。
【００６９】
〈別構成〉
本実施形態の別構成につき説明する。
【００７０】
（１）  上述では、メモリ６に記憶されている基準値を、理想的な差分値に許容誤差分を加減した値としたが、理想的な差分値そのものを基準値としても構わない。このとき、判定部５は、検知差分値が、基準値に比べて所定の誤差範囲を超える程度に小さい場合には光ファイバー１４に異常が存在すると判定し、そうでなければ光ファイバー１４に異常が存在しないと判定することができる。
【００７１】
（２）  判定部５が、光源１０に対して駆動電流５７を供給している場合における受光量と、これに第２パルス電流７０を重畳した場合における受光量の差分値を、「検知差分値」として算出する構成としても構わない。このとき、メモリ６には、光ファイバー１４が損傷していない状態下で、光源１０に対して駆動電流５７を供給している場合と、これに第２パルス電流７０を重畳した場合とでセンサ９にて検知される光量の差分値（理想的な差分値）に許容誤差分を加減した値が「基準値」として記憶されているものとして構わない。
【００７２】
（３）  上述では、センサ９を、白色光を検知するセンサとして説明したが、各光ファイバー（１４，２４，３４）によって伝搬される光の色毎に、光量を検知可能なセンサによって実現しても構わない。より具体的には、センサ９が、青色光センサ、緑色光センサ、赤色光センサをそれぞれ備える構成としても構わない。
【００７３】
（４）  図２（ａ）では、正極性の第１パルス電流６０を重畳後、負極性の第２パルス電流７０を重畳するものとしたが、この順番は反転しても構わない。また、第１パルス電流６０の重畳の終了タイミング（時刻ｔ２）と、第２パルス電流７０の重畳の開始タイミング（時刻ｔ３）を一致させても構わない。
【００７４】
（５）  光源装置１が備える光源の発光色をＲ，Ｇ，Ｂの３色としたが、発光色の色数は３に限定されるものではない。発光色の数に応じて、各色の光を伝搬する光ファイバーを備えるものとして構わない。
【００７５】
［第２実施形態］
光源装置の第２実施形態につき、第１実施形態と異なる箇所のみを説明する。
【００７６】
〈構成〉
図３Ａ及び図３Ｂは、光源装置の第２実施形態の構成を模式的に示すブロック図である。なお、図３Ｂは、図３Ａの一部を抜き出して拡大したものである。
【００７７】
本実施形態は、第１実施形態と異なり、光ファイバー群（１４，２４，３４）は、複数の光源（１０，２０，３０）からの出射光のうち、同一色の出射光を伝搬する複数の光ファイバーを有する構成である。
【００７８】
青色光について、図３Ｂを参照して説明する。青色光を伝搬する光ファイバー１４は、光ファイバー１４ａ，１４ｂ，１４ｃ，１４ｄを含む。例えば、これらの光ファイバー１４ａ，１４ｂ，１４ｃ，１４ｄが、バンドル化されて光ファイバー１４を構成しているものとすることができる。ただし、必ずしもバンドル化されていなければならないというわけではない。
【００７９】
青色光を出射する光源１０は、光源１０ａ，１０ｂ，１０ｃ，１０ｄを有する。光源１０ａからの出射光は、光ファイバー１４ａに入射され、光ファイバー１４ａを介して伝搬される。同様に、光源１０ｂからの出射光は光ファイバー１４ｂを介して伝搬され、光源１０ｃからの出射光は光ファイバー１４ｃを介して伝搬され、光源１０ｄからの出射光は光ファイバー１４ｄを介して伝搬される。
【００８０】
駆動部１９は、光源１０ａ，１０ｂ，１０ｃ，１０ｄに対して、それぞれ個別に駆動を行うことができる構成である。
【００８１】
なお、緑色光を出射する光源２０及び緑色光を伝搬する光ファイバー２４、並びに赤色光を出射する光源３０及び赤色光を伝搬する光ファイバー３４についても、青色と同様の構成である。
【００８２】
〈判定方法〉
以下、判定部５が光ファイバーの異常の有無の判定を行う方法につき説明する。なお、本実施形態においても、一例として、青色光を伝搬する光ファイバー１４（１４ａ，１４ｂ，１４ｃ，１４ｄ）が、異常の有無を判定する対象となる光ファイバーであるものとして説明する。
【００８３】
図４は、青色光源１０（１０ａ，１０ｂ，１０ｃ，１０ｄ）に対して駆動部１９から供給される電流の波形を模式的に示すグラフである。
【００８４】
駆動時において、青色光を出射する光源１０（１０ａ，１０ｂ，１０ｃ，１０ｄ）は駆動部１９から定常的な駆動電流５７が供給される。なお、図４には図示していないが、図２と同様に、緑色光を出射する光源２０は駆動部２９から定常的な駆動電流５８が供給され、赤色光を出射する光源２０は駆動部３９から定常的な駆動電流５９が供給される。
【００８５】
制御部７は、まず、青色光を伝搬する複数の光ファイバー１４（１４ａ，１４ｂ，１４ｃ，１４ｄ）から一の光ファイバー１４ａを特定すると共に、この光ファイバー１４ａによって出射光が伝搬される光源１０ａを特定する。そして、制御部７は、駆動部１９に対して、光源１０ａに供給される駆動電流５７に、所定のタイミングで第１パルス電流６０を重畳する制御を行う。
【００８６】
また、制御部７は、青色光を伝搬する複数の光ファイバー１４（１４ａ，１４ｂ，１４ｃ，１４ｄ）から別の一の光ファイバー１４ｂを特定すると共に、この光ファイバー１４ｂによって出射光が伝搬される光源１０ｂを特定する。そして、制御部７は、駆動部１９に対して、光源１０ｂに供給される駆動電流５７に、所定のタイミングで第１パルス電流６０とは逆極性の第２パルス電流７０を重畳する制御を行う。
【００８７】
ここで、本実施形態では、光源１０ａに対して第１パルス電流６０を重畳するタイミングと、光源１０ｂに対して第２パルス電流７０を重畳するタイミングを同期させる。
【００８８】
すなわち、図４（ａ）に示すように、時刻ｔ１からｔ２にかけて光源１０ａに対して第１パルス電流６０が重畳され、図４（ｂ）に示すように、時刻ｔ１からｔ２にかけて光源１０ｂに対して第２パルス電流７０が重畳される。
【００８９】
なお、図４（ｃ）及び図４（ｄ）に示すように、光源１０ｃ及び光源１０ｄに対しては、時刻ｔ１からｔ２の間も、同一の駆動電流５７が供給されているものとする。
【００９０】
このようなパルス電流を重畳した状態で、第１実施形態と同様に、判定部５は、メモリ６より基準値を読み出し、実際に得られた検知差分値との比較結果に基づいて、光ファイバー１４ａ又は１４ｂの異常の有無を判定する。この方法によって異常の判定が可能であることにつき、図５Ａ及び図５Ｂを参照して説明する。
【００９１】
図５Ａは、光ファイバー１４ａ及び１４ｂの双方に異常が存在しない場合における、各光ファイバーからの出射光の時間変化及びセンサ９での受光量の時間変化を示すグラフである。図５Ａにおいて、（ａ）が光ファイバー１４ａからの出射光の時間変化を、（ｂ）が光ファイバー１４ｂからの出射光の時間変化を、（ｃ）がセンサ９における受光量の時間変化をそれぞれ示している。
【００９２】
光ファイバー１４ａに異常が存在しない場合、光源１０ａに対して正極性の第１パルス電流６０が重畳されている時刻ｔ１からｔ２にかけて、光ファイバー１４ａからの光出力は増加する。また、光ファイバー１４ｂに異常が存在しない場合、光源１０ｂに対して負極性の第２パルス電流６０が重畳されている時刻ｔ１からｔ２にかけて、光ファイバー１４ｂからの光出力は減少する。
【００９３】
ここで、第１パルス電流６０と第２パルス電流７０の絶対値をほぼ等しくした場合、センサ９の受光量は、時刻ｔ１からｔ２にかけて、光ファイバー１４ａからの光出力の増加分と、光ファイバー１４ｂからの光出力の減少分が打ち消し合うため、時刻ｔ１の直前の時刻ｔ０、時刻ｔ２の直後の時刻ｔ５とほぼ同等の受光量を検出する。
【００９４】
一方、図５Ｂは、光ファイバー１４ａには異常が存在せず、光ファイバー１４ｂに異常が存在する場合における、各光ファイバーからの出射光の時間変化及びセンサ９での受光量の時間変化を示すグラフである。図５Ｂにおいても、（ａ）が光ファイバー１４ａからの出射光の時間変化を、（ｂ）が光ファイバー１４ｂからの出射光の時間変化を、（ｃ）がセンサ９における受光量の時間変化をそれぞれ示している。
【００９５】
光ファイバー１４ｂにのみ異常が存在する場合、時刻ｔ１からｔ２にかけて減少する光ファイバー１４ｂからの光出力の減少分は、異常が存在しない場合よりも少なくなる（図５Ｂ（ｂ）参照）。この結果、異常が存在しない場合と比較して、光ファイバー１４ｂからの光出力がｄだけ増加することになる。
【００９６】
これにより、時刻ｔ１からｔ２にかけて、光ファイバー１４ａからの光出力の増加分よりも、光ファイバー１４ｂからの光出力の減少分が少なくなる結果、センサ９での受光量は、時刻ｔ０及び時刻ｔ５の時点の値と比較して、時刻ｔ１とｔ２の間で上昇する。
【００９７】
よって、判定部５は、時刻ｔ０又はｔ５における受光量に比べて、時刻ｔ１とｔ２の間の受光量が増加していることをもって、負極性の第２パルス電流７０が重畳された光ファイバー１４ｂに異常が存在することを認識することができる。
【００９８】
逆に、判定部５は、時刻ｔ０又はｔ５における受光量に比べて、時刻ｔ１とｔ２の間の受光量が減少している場合には、正極性の第１パルス電流６０が重畳された光ファイバー１４ａに異常が存在することを認識することができる。
【００９９】
より詳細には、異常が存在しない場合における、パルス電流が重畳されていない時間帯のセンサ９での受光量と、パルス電流が重畳されている時間帯のセンサ９での受光量の差分値（理想的な差分値）は、ほぼ０になる。よって、メモリ６は、基準値として、０又はこの０に許容誤差分を加減した値を予め記憶しておく。
【０１００】
そして、判定部５は、実際に光源１０ａに対して第１パルス電流６０を重畳し、光源１０ｂに対して第２パルス電流７０を重畳した場合において、パルス電流が重畳されていない時間帯のセンサ９での受光量と、パルス電流が重畳されている時間帯のセンサ９での受光量の差分値（検知差分値）を算出する。判定部５は、この検知差分値と基準値を比較することで、光ファイバー１４ａ又は１４ｂに異常が存在しているか否かを判定することができる。
【０１０１】
制御部７は、次に、駆動電流５７に第１パルス電流６０を重畳する対象となる光源を光源１０ｃに変更し、駆動電流５７に第２パルス電流７０を重畳する対象となる光源を光源１０ｄに変更する。同様の方法により、判定部５は、検知差分値と基準値を比較することで、光ファイバー１４ｃ又は１４ｄに異常が存在しているか否かを判定することができる。
【０１０２】
このようにして、青色光を伝搬する光ファイバー１４（１４ａ、１４ｂ，１４ｃ，１４ｄ）に対する異常有無の判定が完了すると、制御部７は、検査対象色を緑、赤と順次切り替えて同様の処理を実行する。これにより、同一発光色の光を伝搬する光ファイバーを複数備える構成においても、全ての光ファイバーの異常判定を行うことができる。
【０１０３】
この構成の場合、同一のタイミングで、ほぼ絶対値の等しい正逆パルス電流を印加することができるため、投影画像の色味への影響を限りなく０に近づけることが可能となる。
【０１０４】
なお、本実施形態では、同一発光色の光を伝搬する光ファイバーを４本備える構成を例示して説明したが、この本数は４に限定されるものではなく、同一発光色の光を伝搬する光ファイバーを２本以上備える場合に適用可能である。
【０１０５】
［第３実施形態］
光源装置の第３実施形態につき、第１又は第２実施形態と異なる箇所のみを説明する。
【０１０６】
なお、本実施形態は、第２実施形態と構成は同じであり、判定部５における判定方法が異なっている。従って、構成の説明は割愛する。
【０１０７】
〈判定方法〉
以下、本実施形態の構成において、判定部５が光ファイバーの異常の有無の判定を行う方法につき説明する。なお、本実施形態においても、一例として、青色光を伝搬する光ファイバー１４（１４ａ，１４ｂ，１４ｃ，１４ｄ）が、異常の有無を判定する対象となる光ファイバーであるものとして説明する。
【０１０８】
図６は、青色光源１０（１０ａ，１０ｂ，１０ｃ，１０ｄ）に対して駆動部１０から供給される電流の波形を模式的に示すグラフである。なお、第２実施形態と同様に、緑色光を出射する光源２０は駆動部２９から定常的な駆動電流５８が供給され、赤色光を出射する光源３０は駆動部３９から定常的な駆動電流５９が供給される。
【０１０９】
制御部７は、まず、青色光を伝搬する光ファイバー１４（１４ａ，１４ｂ，１４ｃ，１４ｄ）から一の光ファイバー１４ａを特定すると共に、この光ファイバー１４ａによって出射光が伝搬される光源１０ａを特定する。そして、制御部７は、駆動部１９に対して、光源１０ａに供給される駆動電流５７に、所定のタイミングで第１パルス電流６０を重畳する制御を行う。
【０１１０】
また、制御部７は、まず、青色光を伝搬する光ファイバー１４（１４ａ，１４ｂ，１４ｃ，１４ｄ）から別の一の光ファイバー１４ｂを特定すると共に、この光ファイバー１４ｂによって出射光が伝搬される光源１０ｂを特定する。そして、制御部７は、駆動部１９に対して、光源１０ｂに供給される駆動電流５７に、所定のタイミングで第１パルス電流６０とは逆極性の第２パルス電流７０を重畳する制御を行う。
【０１１１】
同様に、制御部７は、駆動部１９に対して、光源１０ｃに供給される駆動電流５７に、所定のタイミングで第２パルス電流７０を重畳する制御を行い、光源１０ｄに供給される駆動電流５７に、所定のタイミングで第２パルス電流７０を重畳する制御を行う。
【０１１２】
ここで、本実施形態では、光源１０ａに対して第１パルス電流６０を重畳するタイミング、光源１０ｂに対して第２パルス電流７０を重畳するタイミング、光源１０ｃに対して第２パルス電流７０を重畳するタイミング、光源１０ｄに対して第２パルス電流７０を重畳するタイミングをそれぞれずらしている。
【０１１３】
より詳細には、駆動部１９は、時刻ｔ１からｔ２の間に光源１０ａに対して第１パルス電流６０を重畳し、時刻ｔ２からｔ３の間に光源１０ｂに対して第２パルス電流７０を重畳し、時刻ｔ３からｔ４の間に光源１０ｃに対して第２パルス電流７０を重畳し、時刻ｔ４からｔ５の間に光源１０ｄに対して第２パルス電流７０を重畳する。
【０１１４】
このようなパルス電流を重畳した状態で、第１実施形態と同様に、判定部５は、メモリ６より基準値を読み出し、実際に得られた検知差分値との比較結果に基づいて、光ファイバー１４ａ，１４ｂ，１４ｃ，１４ｄの異常の有無を判定する。この方法によって異常の判定が可能であることにつき、図７を参照して説明する。
【０１１５】
図７は、センサ９における受光量の時間変化を示すグラフである。図７（ａ）は、光ファイバー１４ａ，１４ｂ，１４ｃ，１４ｄのいずれにも異常が存在しない場合に対応し、図７（ｂ）は光ファイバー１４ｃに異常が存在している場合に対応する。
【０１１６】
光ファイバー１４ａに異常が存在しない場合、光源１０ａに対して正極性の第１パルス電流６０が重畳されている時刻ｔ１からｔ２にかけて、光ファイバー１４ａからの光出力は増加する。また、光ファイバー１４ｂに異常が存在しない場合、光源１０ｂに対して負極性の第２パルス電流７０が重畳されている時刻ｔ２からｔ３にかけて、光ファイバー１４ｂからの光出力は減少する。
【０１１７】
同様に、光ファイバー１４ｃに異常が存在しない場合、光源１０ｃに対して負極性の第２パルス電流７０が重畳されている時刻ｔ３からｔ４にかけて、光ファイバー１４ｃからの光出力は減少する。光ファイバー１４ｄに異常が存在しない場合、光源１０ｄに対して負極性の第２パルス電流７０が重畳されている時刻ｔ４からｔ５にかけて、光ファイバー１４ｄからの光出力は減少する。
【０１１８】
センサ９は、上記の各光ファイバーからの光出力の変動に応じて、受光量が変動する。このため、光ファイバー１４ａ，１４ｂ，１４ｃ，１４ｄのいずれにも異常が存在しない場合には、駆動電流５７が供給されている時刻ｔ０における受光量と比較して、時刻ｔ１とｔ２の間で受光量が増加し、時刻ｔ２とｔ５の間で受光量が低下し、時刻ｔ５の後に、再び時刻ｔ０における受光量に復帰する。
【０１１９】
ここで、光源１０ｂ，１０ｃ，１０ｄに対して重畳される第２パルス電流７０の絶対値をほぼ等しくした場合、センサ９の受光量は、時刻ｔ２とｔ５の間で不変となる。
【０１２０】
ここで、光ファイバー１４ｃにのみ異常が存在する場合、時刻ｔ０における光ファイバー１４ｃからの光出力と比較した、時刻ｔ３からｔ４の間の光ファイバー１４ｃからの光出力の減少分は、光ファイバー１４ｃに異常が存在しない場合よりも少なくなる。この結果、異常が存在しない場合と比較して、光ファイバー１４ｃからの光出力が増加する。この結果、図７（ｂ）に示すように、時刻ｔ２とｔ３の間に比べて時刻ｔ３とｔ４の間のセンサ９の受光量がｄだけ増加する。
【０１２１】
よって、判定部５は、時刻ｔ０又はｔ６における受光量に対する、時刻ｔ３とｔ４の間の受光量の差分値が、メモリ６から読み出された基準値よりも減少していることをもって、時刻ｔ３とｔ４の間に第２パルス電流７０が重畳された光ファイバー１４ｃに異常が存在することを認識することができる。
【０１２２】
このようにして、青色光を伝搬する光ファイバー１４（１４ａ、１４ｂ，１４ｃ，１４ｄ）に対する異常有無の判定が完了すると、制御部７は、検査対象色を緑、赤と順次切り替えて同様の処理を実行する。これにより、同一発光色の光を伝搬する光ファイバーを複数備える構成においても、全ての光ファイバーの異常有無の判定を行うことができる。
【０１２３】
なお、本実施形態では、光ファイバー１４ｃにのみ異常が存在する場合を採り上げて説明したが、他の光ファイバー１４ａ，１４ｂ，１４ｄに異常が存在する場合についても、上述した第１、第２実施形態又は本実施形態と同様の方法によって、異常有無の判定が可能である。
【０１２４】
なお、本実施形態においては、光源１０ｂ，１０ｃ，１０ｄに対して重畳される第２パルス電流７０の絶対値の合計と、光源１０ａに対して重畳される第１パルス電流６０の絶対値との差を、投影画像の色味に影響が生じない範囲内の所定の閾値以下とするのが好ましく、ほぼ等しくするのがより好ましい。
【０１２５】
なお、本実施形態では、光源１０ａに対して第１パルス電流６０の重畳を完了する時刻と、光源１０ｂに対して第２パルス電流７０の重畳を開始する時刻を時刻ｔ１で一致させているが、これらの時刻にずれを持たしても構わない。同様に、光源１０ｂに対して第２パルス電流７０の重畳を完了する時刻と、光源１０ｃに対して第２パルス電流７０の重畳を開始する時刻にずれを持たしても構わないし、光源１０ｃに対して第２パルス電流７０の重畳を完了する時刻と、光源１０ｄに対して第２パルス電流７０の重畳を開始する時刻にずれを持たしても構わない。
【０１２６】
このような構成においても、光源１０ａに対して第１パルス電流６０の重畳を開始する時刻から、光源１０ｄに対して第２パルス電流７０の重畳を完了する時刻までの時間を、画像の同一フレーム期間内とするのが好ましい。
【０１２７】
また、図６では、光源１０ａに対して第１パルス電流６０を重畳した後、光源１０ｂに対して第２パルス電流７０を重畳し、その後に、光源１０ｃに対して第２パルス電流７０を重畳し、その後に光源１０ｄに対して第２パルス電流７０を重畳している。しかし、これらのパルス電流の重畳の順序は適宜変更して構わない。
【０１２８】
また、一の光源に対して第１パルス電流６０を重畳し、他の複数の光源に対して第２パルス電流７０を重畳しているが、これらを反転させても構わない。
【０１２９】
［別実施形態］
以下、別実施形態につき説明する。
【０１３０】
〈１〉  上述の実施形態では、駆動時において、全ての色の光源（１０，２０，３０）に対して駆動電流が供給される構成としたが、色毎に駆動電流の供給タイミングを切り替える構成としても構わない。この場合においても、上述した各実施形態と同様の方法によって光ファイバーの異常判定を行うことが可能である。
【０１３１】
図８は、この別実施形態の構成の下で、各光源に対して供給される電流波形を模式的に示すグラフである。なお、光ファイバーについては、説明の簡単のために、各発光色の光を伝搬する光ファイバーを色毎に１本ずつ備えた第１実施形態の構成を想定している。
【０１３２】
この別実施形態においては、図８に示すように、青色光を出射する光源１０に対して駆動電流５７が供給されるタイミングと、緑色光を出射する光源２０に対して駆動電流５８が供給されるタイミングと、赤色光を出射する光源３０に対して駆動電流５９が供給されるタイミングは、それぞれ異なっている。
【０１３３】
このような場合においては、青色の光を伝搬する光ファイバー１４の異常有無の判定のためのパルス電流の重畳を、青色光を出射する光源１０に対して駆動電流５７が供給される時間内に行えばよい。緑色、赤色についても同様である。
【０１３４】
なお、図８では、第１実施形態で上述した方法によって、光ファイバーの異常有無の判定を行うべくパルス電流を重畳した場合の電流波形を示しているが、第２、第３実施形態で上述した方法も同様に採用可能である。
【０１３５】
〈２〉  図１では、光源ユニット２から出射された光を、光ファイバー群（１４，２４，３４）によって光源ユニット２とは離れて設置されたプロジェクタ３に伝搬する構成を想定していた。これに対し、プロジェクタ３内に光源ユニット２を含む図９の構成を採用しても構わない。
【０１３６】
また、図１では、制御ユニット４を光源ユニット２の内部に設けた構成としたが、当該制御ユニット４をプロジェクタ３内に組み込んだ図１０の構成を採用しても構わない。
【０１３７】
〈３〉  上記実施形態では、センサ９で検出した光量を、信号線を介して電気信号として判定部５に出力する構成を想定していた。これに対し、センサ９で検出した光を、光ファイバーによって光として判定部５に出力する構成としても構わない。ただし、信号線と比べて光ファイバーの方が故障発生頻度が高いため、装置の安定性の面からは、電気信号によってセンサ９で検出した光量を判定部５に出力する構成の方が望ましい。
【符号の説明】
【０１３８】
１      ：    光源装置
２      ：    光源ユニット
３      ：    プロジェクタ
４      ：    制御ユニット
５      ：    判定部
６      ：    メモリ
７      ：    制御部
９      ：    センサ
１０      ：    光源（Ｂ）
１０ａ，１０ｂ，１０ｃ，１０ｄ      ：    光源（Ｂ）
１４      ：    光ファイバー（Ｂ）
１４ａ，１４ｂ，１４ｃ，１４ｄ      ：    光ファイバー（Ｂ）
１９      ：    駆動部
２０      ：    光源（Ｇ）
２４      ：    光ファイバー（Ｇ）
２９      ：    駆動部
３０      ：    光源（Ｒ）
３４      ：    光ファイバー（Ｒ）
３９      ：    駆動部
４１，４２，４３      ：    ダイクロイックミラー
５１      ：    光学系
５７，５８，５９      ：    駆動電流
６０      ：    第１パルス電流
７０      ：    第２パルス電流
【図１】
2014191926.tif 000003
【図２】
2014191926.tif 000004
【図３Ａ】
2014191926.tif 000005
【図３Ｂ】
2014191926.tif 000006
【図４】
2014191926.tif 000007
【図５Ａ】
2014191926.tif 000008
【図５Ｂ】
2014191926.tif 000009
【図６】
2014191926.tif 000010
【図７】
2014191926.tif 000011
【図８】
2014191926.tif 000012
【図９】
2014191926.tif 000013
【図１０】
2014191926.tif 000014